(57)【要約】【課題】レッグウォーマーは，装着は容易であり，防寒用としては下肢部を保温できるが，ファッション性に優れているとは言い難い。短靴部と下肢部を分離した靴は，短靴部と下肢部を連結するときに連結ベルトをかがんで操作するために大変であり，また時間がかかる。更に，下肢部を固定するために，短靴部底面中央付近に凹部が必要になり，かつ，短靴は半長靴に限定されるので，適用できる短靴が制限されるという問題がある。【解決手段】下肢部をほぼ覆う程度の長さを持つ短靴部がない左足用ブーツ及び右足用ブーツから成る一対のブーツにおいて，前記左足用ブーツ及び前記右足用ブーツそれぞれを立方向に二分し，前記左足用ブーツ及び前記右足用ブーツそれぞれを，二分したうちの一方の第１ブーツ片１と，他方の第２ブーツ片２の二つのブーツ片から構成する。【選択図】図１
0003130961.tif 000002
【実用新案登録請求の範囲】
【請求項１】
下肢部をほぼ覆う程度の長さを持つ左足用ブーツ及び右足用ブーツから成る一対のブーツにおいて，
前記左足用ブーツ及び前記右足用ブーツにはそれぞれ短靴部がなく，かつ，前記左足用ブーツ及び前記右足用ブーツそれぞれを立方向に二分し，前記左足用ブーツ及び前記右足用ブーツそれぞれを，二分したうちの一方である第１ブーツ片と，二分したうちの他方である第２ブーツ片の二つのブーツ片から構成したことを特徴とする短靴部のないブーツ。
【請求項２】
前記左足用ブーツ及び前記右足用ブーツはそれぞれ，前記第１ブーツ片が前記ブーツの前側になるように，また，前記第２ブーツ片が前記ブーツの後側になるように配設し，前記左足用ブーツ及び前記右足用ブーツそれぞれを，前記第１ブーツ片の下肢部内側端及び前記第２ブーツ片の下肢部内側端を，上端から下端まで着脱できないように立方向に結合し，かつ，前記第１ブーツ片の下肢部外側端と前記第２ブーツ片の下肢部外側端を，前記第１ブーツ片及び前記第２ブーツ片の上端から下端途中まで着脱可能な手段により結合し，前記第１ブーツ片及び前記第２ブーツ片の下端途中から下端まで着脱できないように結合したことを特徴とする請求項１に記載のブーツ。
【請求項３】
前記第１ブーツ片の展開形状を上端が下端より長い略台形とし，前記第２ブーツ片の展開形状を略長方形とし，かつ，前記第１ブーツ片及び前記第２ブーツ片の下端を，下方向にそれぞれ弓形に張り出させたことを特徴とする請求項２に記載のブーツ。
【請求項４】
展開形状が略三角形で，底辺の両端どうしが着脱可能な結合手段を持つ足の甲当てを追加したことを特徴とする請求項２及び請求項３に記載のブーツ。
【請求項５】
前記第１ブーツ片，前記第２ブーツ片及び前記足の甲当ての少なくとも一つを，皮製または合成樹脂製または表面処理した布製にしたことを特徴とする請求項４に記載のブーツ。
【請求項６】
前記第１ブーツ片，前記第２ブーツ片及び前記足の甲当ての少なくとも一つに，一種類以上の色を付加したことを特徴とする請求項４及び請求項５に記載のブーツ。
【請求項７】
前記第１ブーツ片，前記第２ブーツ片及び前記足の甲当ての少なくとも一つに，模様を設けたことを特徴とする請求項４ないし請求項６に記載のブーツ。
【考案の詳細な説明】
【技術分野】
【０００１】  本考案は防寒用とファッション性を兼ね備えた短靴部のないブーツに係り，特に，短靴部がないために，どのような短靴にでも容易に装着でき，通気性がよく，足首付近が折れ曲がることがなく，靴箱への収納が容易なブーツに関する。
【背景技術】
【０００２】  従来のブーツは，短靴部と下肢部が一体であり（図示しない），装着するときに足が下肢部を通過しなければならないので手間がかかる，装着しているときに通気性が悪いので足が蒸れる，古くなってくると脱いだときに自立せず足首付近で折れ曲がる，下肢部が長いために一般的な靴箱に収納しずらいという問題がある。【０００３】  そのため，防寒用としてレッグウォーマーが提案されている（参考文献１参照）。レッグウォーマーは，装着は容易であり，かつ，足が蒸れることはない。また，装着を容易にするために，短靴部と下肢部を分離した靴も提案されている（参考文献２参照）。
【参考文献１】
特開２００３−２６８６０８号公報
【参考文献２】
実登３０１６７７８号公報
【考案の開示】
【考案が解決しようとする課題】
【０００４】  レッグウォーマーは，装着は容易であり，防寒用としては下肢部を保温できるが，ファッション性に優れているとは言い難い。短靴部と下肢部を分離した靴は，短靴部と下肢部を連結するときに連結ベルトをかがんで操作するために大変であり，また時間がかかる。更に，下肢部を固定するために，短靴部底面中央付近に凹部が必要になり，かつ，短靴は半長靴に限定されるので，適用できる短靴が制限されるという問題がある。
また，冬季はブーツで下肢部を防寒できるが，特に女性では，夏季に冷房の効いた電車内や冷房の効いた事務所などにおいて，下肢部が冷えるときに冷えを防ぐための適当で機能的な手段がない。このような状況に対応するために，外出するときにブーツを装着すると，夏季であれば歩行中はブーツ内が温まり足が蒸れるという問題がある。【０００５】  本考案は上述した事情に鑑みてなされたもので，防寒用とファッション性を兼ね備え，短靴部がないために，どのような短靴にでも容易に装着でき，通気性がよく，足首付近が折れ曲がることがなく，靴箱への収納が容易なブーツを提供することを目的とする。
【課題を解決するための手段】
【０００６】  請求項１に記載の考案は，下肢部をほぼ覆う程度の長さを持つ左足用ブーツ及び右足用ブーツから成る一対のブーツにおいて，前記左足用ブーツ及び前記右足用ブーツにはそれぞれ短靴部がなく，かつ，前記左足用ブーツ及び前記右足用ブーツそれぞれを立方向に二分し，前記左足用ブーツ及び前記右足用ブーツそれぞれを，二分したうちの一方である第１ブーツ片と，二分したうちの他方である第２ブーツ片の二つのブーツ片から構成したことを特徴とする短靴部のないブーツである。【０００７】  これにより，装着が容易で，通気性がよく，足首付近が折れ曲がることがなく，靴箱への収納が容易なブーツを提供することができる。
また，ブーツそのものを持ち運びしやすいので，夏季にブーツを持参していれば，冷房の効いた電車内や冷房の効いた事務所などにおいて，容易にブーツを装着できるので，下肢部の冷えを防止できる。【０００８】  請求項２に記載の考案は，前記左足用ブーツ及び前記右足用ブーツはそれぞれ，前記第１ブーツ片が前記ブーツの前側になるように，また，前記第２ブーツ片が前記ブーツの後側になるように配設し，前記左足用ブーツ及び前記右足用ブーツそれぞれを，前記第１ブーツ片の下肢部内側端及び前記第２ブーツ片の下肢部内側端を，上端から下端まで着脱できないように立方向に結合し，かつ，前記第１ブーツ片の下肢部外側端と前記第２ブーツ片の下肢部外側端を，前記第１ブーツ片及び前記第２ブーツ片の上端から下端途中まで着脱可能な手段により結合し，前記第１ブーツ片及び前記第２ブーツ片の下端途中から下端まで着脱できないように結合したことを特徴とする請求項１に記載のブーツである。【０００９】  これにより，請求項１に記載の考案と同様に，装着が容易で，通気性がよく，足首付近が折れ曲がることがなく，靴箱への収納が容易なブーツを提供することができる。
また，ブーツそのものを持ち運びしやすいので，夏季にブーツを持参していれば，冷房の効いた電車内や冷房の効いた事務所などにおいて，容易にブーツを装着できるので，下肢部の冷えを防止できる。【００１０】  請求項３に記載の考案は，前記第１ブーツ片の展開形状を上端が下端より長い略台形とし，前記第２ブーツ片の展開形状を略長方形とし，かつ，前記第１ブーツ片及び前記第２ブーツ片の下端を，下方向にそれぞれ弓形に張り出させたことを特徴とする請求項２に記載のブーツである。
これにより，ブーツは上方から下方へ向かってすぼまるので，下肢部の形に近くなって馴染みやすくなるため，ブーツの装着感が高まる。また，ブーツは短靴部上面の前後でブーツの先端及び後端が飛び出るので，形状面ではファッション性に優れ，機能面では雨が降っているときに雨が短靴に入り難くなり，更に，飛び出たブーツの先端及び後端が，短靴の甲部上面及びかかと部に接し摩擦抵抗が大きくなるので，ブーツが水平方向に回る（ブーツの前面がずれる）のを防止する効果がある。【００１１】  請求項４に記載の考案は，展開形状が略三角形で，底辺の両端どおしが着脱可能な結合手段を持つ足の甲当てを追加したことを特徴とする請求項２及び請求項３に記載のブーツである。
これにより，足の甲当てが短靴部上面の前方に飛び出るので，甲部上面が小さく開口した短靴でも甲部上面が広く開口した短靴でも，短靴の甲部上面の開口の大きさに無関係に，どのような短靴にでもブーツは装着でき，ファッション性に優れ，かつ，短靴の甲部上面が広く開口しているときにその開口部を覆うことができるので，保温や防寒の効果が高まる。また，足の甲当てが短靴の甲部上面に接し摩擦抵抗が大きくなるので，足の甲当てが水平方向に回る（足の甲当ての前面がずれる）のを防止する効果がある。【００１２】  請求項５に記載の考案は，前記第１ブーツ片，前記第２ブーツ片及び前記足の甲当ての少なくとも一つを，皮製または合成樹脂製または表面処理した布製にしたことを特徴とする請求項４に記載のブーツである。
これにより，ブーツは皮製にすれば高級感や装着感が高まり，合成樹脂製または表面処理した布製にすれば軽量化でき，安価に大量生産が可能になり，防水や防寒効果が高まる。【００１３】  請求項６に記載の考案は，前記第１ブーツ片，前記第２ブーツ片及び前記足の甲当ての少なくとも一つに，一種類以上の色を付加したことを特徴とする請求項４及び請求項５に記載のブーツである。
これにより，ブーツは色彩面でファッション性が高まる。【００１４】  請求項７に記載の考案は，前記第１ブーツ片，前記第２ブーツ片及び前記足の甲当ての少なくとも一つに，模様を設けたことを特徴とする請求項４ないし請求項６に記載のブーツである。
これにより，ブーツは色彩面及び外観面で更にファッション性が高まる。
【考案の効果】
【００１５】  本考案によれば，ブーツは，足の甲当てが短靴部上面の前方に飛び出ているので，短靴部の甲部上面が広く開口していても，その開口部を覆うことができるので，どのような短靴にでも装着可能である。また，ブーツは下肢部外側が着脱可能なので，装着のときにブーツを開いて足を通すことができるために，装着が容易であり，ブーツと短靴部をの間にすき間ができるので，通気性がよく，ブーツと短靴部が分離しているので，足首付近が折れ曲がることがなく，ブーツと短靴部が分離していることによって，靴箱への収納が容易である。これに加え，ブーツに着色及び模様を付加することによって，色彩面及び外観面において更にファッション性を高めることができる。【００１６】  更に，ブーツには短靴部がないので，持ち運びしやすく，夏季にブーツを持参していれば，冷房の効いた電車内や冷房の効いた事務所などにおいて，下肢部が冷えるときに，ファッション性を損なうことなく容易にブーツを装着できる。更に，飛び出たブーツの先端及び後端が，短靴の甲部上面に接し摩擦抵抗が大きくなるので，ブーツが水平方向に回る（ブーツの前面がずれる）のを防止できる。
【考案を実施するための最良の形態】
【００１７】  以下，本考案の実施形態を図面に基づいて説明する。
図３は第１ブーツ片１の展開図，図４は第２ブーツ片２の展開図を示し，第１ブーツ片１及び第２ブーツ片２で，左足用ブーツ及び右足用ブーツをそれぞれ構成する。図３に示すように，第１ブーツ片１は，上端１ａが下端１ｂより長い略台形であり，更に弓形部１ｃが下端１ｂから下方向に張り出している。また，図４に示すように，第２ブーツ片２は，上端２ａが下端２ｂと長さがほぼ同じ略長方形であり，更に弓形部２ｃが下端２ｂから下方向に張り出している。【００１８】  図５及び図６は，左足用ブーツの第１ブーツ片１及び第２ブーツ片２の結合を説明するための図である。図５及び図６に示すように，第１ブーツ片１の下肢部内側端１ｄ及び第２ブーツ片２の下肢部内側端２ｄを着脱できないように立方向に縫合などによって結合し，第１ブーツ片１の下肢部外側端１ｅ及び第２ブーツ片の下肢部外側端２ｅから，第１ブーツ片１の下端途中１ｆ及び第２ブーツ片２の下端途中２ｆまで，ファスナーなど着脱可能な手段により立方向に結合し，第１ブーツ片１の下端途中１ｆ及び第２ブーツ片２の下端途中２ｆから，第１ブーツ片１の下端１ｇ及び第２ブーツ片２の下端２ｇまで，着脱できないように立方向に縫合などによって結合する。また，図５及び図６に示すように，ブーツには短靴部がない。【００１９】  このように結合した左足用ブーツの第１ブーツ片１及び第２ブーツ片２を，短靴３に装着し下肢部内側から見た状態を図１に示す。図１に示すように，第１ブーツ片１の下肢部内側端１ｄ及び第２ブーツ片２の下肢部内側端２ｄは立方向に上端から下端まで，着脱できないように縫合などによって結合している。【００２０】  図２に，左足用ブーツの第１ブーツ片１及び第２ブーツ片２を結合し，短靴３に装着し下肢部外側から見た状態を示す。図２に示すように，第１ブーツ片１の下肢部外側の上端１ｅ及び第２ブーツ片の下肢部外側の上端２ｅから，第１ブーツ片１の下端途中１ｆ及び第２ブーツ片２の下端途中２ｆまで，ファスナーなど着脱可能な手段により立方向に結合し，第１ブーツ片１の下端途中１ｆ及び第２ブーツ片２の下端途中２ｆから，第１ブーツ片１の下端１ｇ及び第２ブーツ片２の下端２ｇまで，立方向に着脱できないよう縫合などによって結合している。
図１及び図２に示したように，第１ブーツ片１はブーツの前側，第２ブーツ片２はブーツの後側に配設している。【００２１】  右足用ブーツは図示しないが，前記した左足用ブーツで説明した構成とは勝手反対になる。即ち，右足用ブーツは，第１ブーツ片１及び第２ブーツ片２の下肢部内側が，立方向に上端から下端まで着脱できないよう縫合などによって結合し，また，第１ブーツ片１及び第２ブーツ片２の下肢部外側が，上端から下端途中までファスナーなど着脱可能な手段により立方向に結合し，下端途中から下端までが，立方向に着脱できないよう縫合などによって結合している。そして，第１ブーツ片１はブーツの前側，第２ブーツ片２はブーツの後側に配設している。【００２２】  このように構成することにより，ブーツは，足の甲当てが短靴部上面の前方に飛び出ているので，短靴部の甲部上面が広く開口していても，その開口部を覆うことができるので，どのような短靴にでも装着可能である。また，ブーツは下肢部外側が着脱可能なので，装着のときにブーツを開いて足を通すことができるために，装着が容易であり，ブーツと短靴部との間にすき間ができるので，通気性がよく，ブーツと短靴部が分離しているので，足首付近が折れ曲がることがなく，ブーツと短靴部が分離していることによって，靴箱への収納が容易である。【００２３】  更に，ブーツには短靴部がないので，持ち運びしやすく，夏季にブーツを持参していれば，冷房の効いた電車内や冷房の効いた事務所などにおいて，下肢部が冷えるときに，ファッション性を損なうことなく容易にブーツを装着できる。更に，飛び出たブーツの先端及び後端が，短靴の甲部上面及びかかと部に接し摩擦抵抗が大きくなるので，ブーツが水平方向に回る（ブーツの前面がずれる）のを防止する効果がある。【００２４】  図７ないし図９に，本考案の他の実施形態を示す。図７は足の甲当て４の展開図，図８は足の甲当て４を取り付ける状態にした図，図９は左足用ブーツの第１ブーツ片１及び第２ブーツ片２を，短靴３に装着し，足の甲当て４を追加して，下肢部内側から見た状態を示す。
図７に示すように，足の甲当て４は略三角形で形成し，底辺の両端４ａ及び４ｂに着脱可能なマジックテープ（商標名）などを付けて着脱可能に結合する。【００２５】  これにより，足の甲当て４が短靴３部上面の前方に飛び出るので，甲部上面３ａが小さく開口した短靴３でも甲部上面３ａが広く開口した短靴３でも，短靴３の甲部上面３ａの開口の大きさに無関係に，どのような短靴３にでもブーツは装着でき，ファッション性に優れ，かつ，短靴３の甲部上面３ａが広く開口しているときにその開口部を覆うことができるので，保温や防寒の効果が高まる。また，足の甲当て４が短靴３の甲部上面３ａに接し摩擦抵抗が大きくなるので，足の甲当て４が水平方向に回る（足の甲当て４の前面がずれる）のを防止する効果がある。【００２６】  第１ブーツ片１，第２ブーツ片２及び足の甲当て３を，皮製にすれば高級感や装着感が高まり，合成樹脂製にすれば軽量化でき，また，安価に大量生産が可能になる。また，足の甲当て３は，布製の生地に防水処理などの表面処理したものにしてもよい。第１ブーツ片１，第２ブーツ片２及び足の甲当て３を互換性のある寸法及び構成にすることによって，実際の使用に当たり，第１ブーツ片１及び第２ブーツ片２を皮製，足の甲当て３は合成樹脂製にしたブーツを選択することもできる。更に，第１ブーツ片１，第２ブーツ片２及び足の甲当て３に，着色もでき，また，シンボルマーク，個人のイニシャル，花柄などの模様や刺繍や飾りを目的とした穴などをブーツに追加できる。【００２７】  これにより，ブーツはどのような短靴にでも容易に装着でき，通気性がよく，足首付近が折れ曲がることがなく，靴箱への収納が容易であるという特徴を保ちながら，色彩面でファッション性を更に高めることができる。【００２８】  これまで，本考案の好ましい実施形態について説明してきたが，本考案は上述の実施形態に限定されず，その技術的思想の範囲内において種々異なる形態で実施されてよいことは言うまでもない。例えば，左足用ブーツ及び右足用ブーツのふくらはぎ部を，それぞれふくらはぎに相当する個所を膨らませて装着感を高めたブーツ，第１ブーツ片１と第２ブーツ片２を立方向に略垂直でなく斜めに二分以上してデザイン性を重視したブーツ，防寒性を高めるために，左足用フーツ及び右足用ブーツの内側に布などの保温性材料を貼り付けたブーツ，外観上の好みから，第１ブーツ片１及び第２ブーツ片２の下肢部外側端を，上端から下端まで着脱できないように立方向に結合し，かつ，第１ブーツ片１及び第２ブーツ片２の下肢部内側端を，第１ブーツ片１及び第２ブーツ片２の上端から下端途中まで着脱可能な手段により結合し，第１ブーツ片１及び第２ブーツ片２の下端途中から下端まで着脱できないように結合したブーツなどは，本考案の技術的思想に含まれるのである。
【図面の簡単な説明】
【００２９】
【図１】本考案の実施形態のブーツを内側から見た図である。
【図２】本考案の実施形態のブーツを外側から見た図である。
【図３】本考案の第１ブーツ片の展開を示す図である。
【図４】本考案の第２ブーツ片の展開を示す図である。
【図５】本考案の第１ブーツ片を示す図である。
【図６】本考案の第２ブーツ片を示す図である。
【図７】本考案の足の甲当ての展開を示す図である。
【図８】本考案の足の甲当てを示す図である。
【図９】本考案の他の実施形態を示すブーツを内側から見た図である。
【符号の説明】
【００３０】１  第１ブーツ片
２  第２ブーツ片
３  短靴
４  足の甲当て
【図１】
0003130961.tif 000003
【図２】
0003130961.tif 000004
【図３】
0003130961.tif 000005
【図４】
0003130961.tif 000006
【図５】
0003130961.tif 000007
【図６】
0003130961.tif 000008
【図７】
0003130961.tif 000009
【図８】
0003130961.tif 000010
【図９】
0003130961.tif 000011
【手続補正書】
【提出日】平成19年1月11日(2007.1.11)
【手続補正１】
【補正対象書類名】実用新案登録請求の範囲
【補正対象項目名】請求項４
【補正方法】変更
【補正の内容】
【請求項４】
展開形状が略三角形で、底辺の両端どうしが着脱可能な結合手段を持つ足の甲当てを追加したことを特徴とする請求項２または３記載のブーツ。
【手続補正２】
【補正対象書類名】実用新案登録請求の範囲
【補正対象項目名】請求項６
【補正方法】変更
【補正の内容】
【請求項６】
前記第１ブーツ片、前記第２ブーツ片及び前記足の甲当ての少なくとも一つに、一種類以上の色を付加したことを特徴とする請求項４または５記載のブーツ。
【手続補正３】
【補正対象書類名】実用新案登録請求の範囲
【補正対象項目名】請求項７
【補正方法】変更
【補正の内容】
【請求項７】
前記第１ブーツ片、前記第２ブーツ片及び前記足の甲当ての少なくとも一つに、模様を設けたことを特徴とする請求項４〜６のいずれか一項に記載のブーツ。
【手続補正４】
【補正対象書類名】明細書
【補正対象項目名】００１１
【補正方法】変更
【補正の内容】
【００１１】  請求項４に記載の考案は、展開形状が略三角形で、底辺の両端どおしが着脱可能な結合手段をもつ足の甲当てを追加したことを特徴とする請求項２または３記載のブーツである。
これにより、足の甲当てが短靴部上面の前方に飛び出るので、甲部上面が小さく開口した短靴でも甲部上面が広く開口した短靴でも、短靴の甲部上面の開口の大きさに無関係に、どのような短靴にでもブーツは装着でき、ファッション性に優れ、かつ、短靴の甲部上面が広く開口しているときにその開口部を覆うことができるので、保温や防寒の効果が高まる。また、足の甲当てが短靴の甲部上面に接し摩擦抵抗が大きくなるので、足の甲当てが水平方向に回る（足の甲当ての前面がずれる）のを防止する効果がある。
【手続補正５】
【補正対象書類名】明細書
【補正対象項目名】００１３
【補正方法】変更
【補正の内容】
【００１３】  請求項６に記載の考案は、前記第１ブーツ片、前記第２ブーツ片及び前記足の甲当ての少なくとも一つに、一種類以上の色を付加したことを特徴とする請求項４または５記載のブーツである。
これにより、ブーツは色彩面でファッション性が高まる。
【手続補正６】
【補正対象書類名】明細書
【補正対象項目名】００１４
【補正方法】変更
【補正の内容】
【００１４】  請求項７に記載の考案は、前記第１ブーツ片、前記第２ブーツ片及び前記足の甲当ての少なくとも一つに、模様を設けたことを特徴とする請求項４〜６のいずれか一項に記載のブーツである。
これにより、ブーツは色彩面及び外観面で更にファッション性が高まる。